(57)【要約】      （修正有）【課題】介護者や医療従事者の利便性を高める。【解決手段】寝台装置１０は、寝台１４と、前記寝台１４の周縁部に配置され、前記寝台１４の上方に位置する壁状部材２６と、前記壁状部材２６に設けられ、前記寝台１４上から視認可能な内側表示部２７と、前記壁状部材２６に設けられ、前記寝台装置１０外から視認可能な外側表示部２８と、を備えている。前記内側表示部２７および前記外側表示部２８が、前記壁状部材２６において、前記壁状部材２６を間に挟んで対応するように設けられている。【選択図】図１
2020124528.tif 000002
【特許請求の範囲】
【請求項１】
寝台と、
前記寝台の周縁部に配置され、前記寝台の上方に位置する壁状部材と、
前記壁状部材に設けられ、前記寝台上から視認可能な内側表示部と、
前記壁状部材に設けられ、前記寝台装置外から視認可能な外側表示部と、を備え
前記内側表示部および前記外側表示部が、前記壁状部材において、前記壁状部材を間に挟んで対応するように設けられていることを特徴とする寝台装置。
【請求項２】
前記壁状部材が、前記寝台における左右方向の端部に配置された側方壁状部材を備え、
前記内側表示部が、前記側方壁状部材に設けられていることを特徴とする請求項１に記載の寝台装置。
【請求項３】
前記内側表示部および前記外側表示部が、前記壁状部材の正面視において、前記壁状部材の中央部に配置され、前記壁状部材のほぼ全ての面積を占めることを特徴とする請求項１または２に記載の寝台装置。
【請求項４】
前記寝台上の使用者の前記寝台における左右方向の位置と向きを検出する検出部と、
前記検出部の検出結果に基づいて前記内側表示部を制御する制御部と、を更に備えていることを特徴とする請求項１から３のいずれか１項に記載の寝台装置。
【請求項５】
前記検出部が、前記使用者が睡眠状態であるか否かを検出する第１検出部を備え、
前記制御部が、前記第１検出部の検出結果に基づいて前記内側表示部の表示の実施および停止を切り替えることを特徴とする請求項４に記載の寝台装置。
【発明の詳細な説明】
【技術分野】
【０００１】
本発明は、寝台装置に関する。
【背景技術】
【０００２】
従来から、例えば下記特許文献１に記載された寝台装置が知られている。この寝台装置は、寝台と、寝台の周縁部に配置され、寝台の上方に位置する壁状部材と、壁状部材に設けられた情報表示部と、を備えている。
【先行技術文献】
【特許文献】
【０００３】
【特許文献１】特開２０１１−１５９７１号公報
【発明の概要】
【発明が解決しようとする課題】
【０００４】
前記従来の寝台装置では、寝台上の使用者の利便性を高めることについて改善の余地がある。
【０００５】
本発明は、前述した事情に鑑みてなされたものであって、利便性を高めることを目的とする。
【課題を解決するための手段】
【０００６】
前記課題を解決するために、本発明は以下の手段を提案している。
（１）本発明に係る寝台装置は、寝台と、前記寝台の周縁部に配置され、前記寝台の上方に位置する壁状部材と、前記壁状部材に設けられ、前記寝台上から視認可能な内側表示部と、を備えていることを特徴とする。
【０００７】
寝台装置が、寝台上から視認可能な内側表示部を備えている。したがって、使用者が寝台上で横臥したまま、内側表示部に表示される情報を視認することが可能になり、使用者の利便性を高めることができる。
【０００８】
（２）上記（１）に係る寝台装置では、前記壁状部材が、前記寝台における左右方向の端部に配置された側方壁状部材を備え、前記内側表示部が、前記側方壁状部材に設けられている構成を採用してもよい。
【０００９】
内側表示部が、側方壁状部材に設けられているので、例えば、使用者が寝台上で側臥位になった状態で、内側表示部の情報を容易に視認すること等ができる。
【００１０】
（３）上記（１）または（２）に係る寝台装置では、前記壁状部材に設けられ、前記寝台装置外から視認可能な外側表示部を更に備え、前記内側表示部および前記外側表示部が、互いに異なる情報を表示する構成を採用してもよい。
【００１１】
内側表示部および外側表示部が、互いに異なる情報を表示する。したがって、例えば、寝台上の使用者が、自らの嗜好にあわせた情報（例えば、写真などの静止画やテレビ放送などの動画）を内側表示部で視認しつつ、寝台装置外の介護者や医療従事者が、使用者の生体情報を外側表示部で視認することができる。これにより、介護者や医療従事者の利便性も高めることができる。
【００１２】
（４）上記（１）から（３）のいずれか１つに係る寝台装置では、前記寝台装置の外部空間のうち、少なくとも、前記内側表示部を間に挟んだ前記寝台の反対側に位置する部分を撮像する撮像部を更に備え、前記内側表示部が、前記撮像部の撮像結果に基づいて前記外部空間を表示する構成を採用してもよい。
【００１３】
内側表示部が、撮像部の撮像結果に基づいて寝台装置の外部空間を表示する。したがって、内側表示部に、寝台装置の外部空間のうち、内側表示部を間に挟んだ寝台の反対側に位置する部分を表示させることができる。これにより、内側表示部が疑似的に透過しているような感覚を使用者に生じさせることができる。その結果、使用者に開放感を生じさせ、使用者の利便性をより高めることができる。
【００１４】
（５）上記（１）から（４）のいずれか１つに係る寝台装置では、前記寝台上の使用者の状態を検出する検出部と、前記検出部の検出結果に基づいて前記内側表示部を制御する制御部と、を更に備えている構成を採用してもよい。
【００１５】
制御部が、検出部の検出結果に基づいて内側表示部を制御する制御部を備えている。したがって、使用者の状態に応じて内側表示部の表示を自動的に調整することが可能になり、使用者の利便性をさらに高めることができる。
【００１６】
（６）上記（５）に係る寝台装置では、前記検出部が、前記使用者が睡眠状態であるか否かを検出する第１検出部を備え、前記制御部が、前記第１検出部の検出結果に基づいて前記内側表示部の表示の実施および停止を切り替える構成を採用してもよい。
【００１７】
制御部が、第１検出部の検出結果に基づいて内側表示部の表示の実施および停止を切り替える。したがって、使用者が睡眠状態であるときに内側表示部の表示を自動的に停止することが可能になり、使用者の利便性をより高めることができる。
【発明の効果】
【００１８】
本発明によれば、利便性を高めることができる。
【図面の簡単な説明】
【００１９】
【図１】本発明の一実施形態に係る寝台装置を示す斜視図である。
【図２】図１に示す寝台装置のブロック図である。
【図３】図１に示す寝台装置の斜視図であって、内側表示部および外側表示部それぞれに情報を表示させた状態を示す図である。
【発明を実施するための形態】
【００２０】
本発明の一実施形態に係る寝台装置１０を、図面に基づいて以下に説明する。寝台装置１０は、例えば、病院などの医療環境下（介護施設や在宅介護などの介護環境下を含む）において利用したり、医療環境下ではない環境下において利用したりすることができる。図１および図３において、矢印Ｈは人（使用者）が寝る際に頭側となる向きを示し、また矢印Ｆは人が寝る際に足側となる向きを示している。以下の説明においては、矢印Ｈ、Ｆの方向である前後方向（第２方向）に対して直交する水平方向を左右方向（第１方向）と言う場合が有る。前後方向および左右方向は、いずれも水平方向に沿う方向であるとともに、互いに直交する方向である。
【００２１】
図１から図３に示すように、寝台装置１０は、使用者（例えば患者、被介護者）を支持する寝台装置本体１１と、寝台装置本体１１における前後方向の端部に立設されたボード１２と、寝台装置本体１１における左右方向の端部に立設された柵体１３と、を備えている。寝台装置１０は、電力を動力源とするいわゆる電動ベッドである。
寝台装置本体１１は、寝台１４と、寝台１４を支持する支持架台１５と、寝台１４よりも下方に位置するボード収容部１６および柵収容部１７と、を備えている。
【００２２】
寝台１４は、平面視した場合に左右方向よりも前後方向に長い。寝台１４は、背上げまたは膝上げ等に対応して変形する。寝台１４の上面は、寝台面１８を形成している。寝台面１８は、寝台１４が背上げまたは膝上げ等に対応して変形する前の状態において、鉛直方向に直交する直交面とされている。寝台面１８は、その平面視において左右方向よりも前後方向に長い矩形状に形成されている。寝台面１８（寝台１４）の長手方向は前後方向とされ、寝台面１８の短手方向は左右方向となっている。寝台１４は、マットレス１９を直接、支持し、寝台面１８上には、マットレス１９が配置される。
【００２３】
支持架台１５は、寝台１４を支持し、寝台１４、および寝台１４上の使用者それぞれの荷重を受け止める。支持架台１５は、寝台１４を変形自在に支持している。
ボード収容部１６は、寝台１４とは独立して設けられている。ボード収容部１６は、ボード１２（後述するフットボード２３）が出没するボード出没孔２０を有する箱状に形成されている。ボード収容部１６は、支持架台１５における前後方向の端部に配置されている。ボード収容部１６は、支持架台１５に対して、前後方向に沿う足側Ｆから隣接している。ボード収容部１６は、左右方向に長い中空の直方体状に形成されている。ボード出没孔２０は、ボード収容部１６の上面に形成されている。ボード出没孔２０は、ボード収容部１６内を上方（外部）に向けて開口させる。
【００２４】
柵収容部１７は、寝台１４とは独立して設けられている。柵収容部１７は、柵体１３が出没する柵出没孔２１を有する箱状に形成されている。柵収容部１７は、支持架台１５における左右方向の端部に配置されている。柵収容部１７は、支持架台１５を左右方向に挟んで一対、設けられている。さらに、左右一対の柵収容部１７は、前後方向に間隔をあけて一対、設けられている。柵収容部１７は、全体で４つ設けられている。各柵収容部１７は、支持架台１５に対して、左右方向に沿う外側から隣接している。各柵収容部１７は、同等の形状でかつ同等の大きさに形成されている。各柵収容部１７は、前後方向に長い中空の直方体状に形成されている。柵出没孔２１は、柵収容部１７の上面に形成されている。柵出没孔２１は、柵収容部１７内を上方（外部）に向けて開口させている。
【００２５】
ボード１２は、前後方向に沿う頭側Ｈに位置するヘッドボード２２と、前後方向に沿う足側Ｆに位置するフットボード２３と、を備えている。ヘッドボード２２は、寝台装置本体１１に対して実質的に移動不能に固定された固定ボードである。フットボード２３は、寝台装置本体１１に移動自在に連結された可動ボードである。フットボード２３は、寝台装置本体１１に昇降自在に連結されている。
【００２６】
フットボード２３は、ボード収容部１６内に収容自在とされている。フットボード２３は、ボード収容部１６に、図示しないボード移動機構を介して連結されている。前記ボード移動機構は、フットボード２３を、ボード収容部１６の内部に対してボード出没孔２０を通して出没させる。フットボード２３の上面には、ボード天板２４が設けられている。ボード天板２４は、平面視において左右方向に長い矩形状に形成され、フットボード２３を上方から覆っている。ボード天板２４は、フットボード２３がボード収容部１６内に収容されたときに、ボード収容部１６の上面に当接する。
【００２７】
柵体１３は、支持架台１５における左右方向の端部に配置されている。柵体１３は、支持架台１５を左右方向に挟んで一対、設けられている。さらに、左右一対の柵体１３は、前後方向に間隔をあけて一対、設けられている。柵体１３は、全体で４つ設けられている。各柵体１３は、寝台装置本体１１に移動自在に連結された可動柵である。各柵体１３は、寝台装置本体１１に昇降自在に連結されている。
【００２８】
各柵体１３は、柵収容部１７内に収容自在とされている。各柵体１３は、柵収容部１７に、図示しない柵移動機構を介して連結されている。前記柵移動機構は、各柵体１３を、柵収容部１７の内部に対して柵出没孔２１を通して出没させる。各柵体１３の上面には、柵天板２５が設けられている。柵天板２５は、平面視において左右方向に長い矩形状に形成され、各柵体１３を上方から覆っている。柵天板２５は、柵体１３が柵収容部１７内に収容されたときに、柵収容部１７の上面に当接する。
【００２９】
前記寝台装置１０では、使用者が寝台装置本体１１上で就寝している場合には、図１に示すように、フットボード２３および各柵体１３の全てを、寝台装置本体１１から上方に突出する上昇位置に移動させておく。これにより、使用者の意図しない転落を防止すること等ができる。なお、フットボード２３（ボード１２）は、上昇位置において寝台装置本体１１に前後方向に正対し、柵体１３は、上昇位置において寝台装置本体１１に左右方向に正対する。
【００３０】
使用者が頭側Ｈから離床する場合や、寝台装置１０の操作者（例えば看護者、介護者）が使用者の上半身に対して処置を施す場合には、複数の柵体１３のうち、頭側Ｈに位置する左右一対の柵体１３を、上昇位置から下降させ、柵収容部１７内に収容する。このとき、柵体１３は、上昇位置よりも下方の下降位置（収容位置）まで移動し、柵天板２５が、柵収容部１７の上面に当接する。なお下降位置において、柵体１３は、マットレス１９よりも下方に位置している。
【００３１】
使用者が足側Ｆから離床する場合や、操作者が使用者の上半身に対して処置を施す場合には、複数の柵体１３のうち、足側Ｆに位置する左右一対の柵体１３を、柵体１３の上昇位置から下降させ、柵収容部１７内に収容する。このとき、柵体１３は上昇位置から下降位置まで移動し、柵天板２５が、柵収容部１７の上面に当接する。
使用者が寝台装置本体１１と他の装置との間を移乗する場合には、全ての柵体１３を、上昇位置から下降位置まで下降させ、柵収容部１７内に収容する。
【００３２】
使用者の下半身に挿管するライン（例えばチューブなど）を設営する場合には、フットボード２３を、ボード１２の上昇位置から下降させ、ボード収容部１６内に収容する。このとき、フットボード２３は、上昇位置よりも下方の下降位置（収容位置）まで移動し、ボード天板２４が、ボード収容部１６の上面に当接する。なお下降位置において、フットボード２３は、マットレス１９よりも下方に位置している。
【００３３】
緊急対応や、ベッドメイキングを行う場合には、全ての柵体１３およびフットボード２３を、上昇位置から下降位置まで下降させ、柵収容部１７内またはボード収容部１６内に収容する。
なお、柵体１３やフットボード２３（ボード１２）の移動は、電動であってもよく手動であってもよい。電動の場合、移動用のスイッチが、例えば、柵収容部１７やボード収容部１６に付設されていてもよい。前記スイッチは、例えば、使用者の手元で操作可能なコントローラなど、他の操作装置に設けることも可能である。
【００３４】
前記寝台装置１０では、ボード１２および柵体１３が、寝台１４の周縁部に配置された壁状部材２６である。壁状部材２６のうちの柵体１３は、寝台１４における左右方向の端部に配置された側方壁状部材である。壁状部材２６は、寝台１４の上方に位置する。壁状部材２６は、例えば、寝台１４上の使用者の意図しない転落を防止する。
【００３５】
壁状部材２６は、寝台１４上の空間を寝台内空間Ｓｉと寝台外空間Ｓｏとに仕切る。寝台内空間Ｓｉは、各壁状部材２６において寝台１４側を向く内面２６ａによって形成される。寝台内空間Ｓｉは、寝台１４（マットレス１９）を底面とする。寝台外空間Ｓｏは、各壁状部材２６において寝台装置１０外を向く外面２６ｂによって形成される。寝台外空間Ｓｏは、寝台装置１０の外部空間である。
【００３６】
壁状部材２６には、寝台１４上から視認可能な内側表示部２７と、寝台装置１０外から視認可能な外側表示部２８と、が設けられている。内側表示部２７は、寝台１４上に横臥した使用者から視認可能である。内側表示部２７のうち、少なくとも一部は、寝台１４上に横臥した使用者の顔部と前後方向に同等の位置に配置され、顔部と左右方向に対向する。
【００３７】
内側表示部２７および外側表示部２８は、電力によって駆動され、表示される情報が切り替え可能とされている。図示の例では、内側表示部２７および外側表示部２８は、ディスプレイ（例えば、有機ＥＬディスプレイ）によって形成されている。内側表示部２７および外側表示部２８に、ヘッドアップディスプレイを適用することも可能である。
【００３８】
内側表示部２７および外側表示部２８はいずれも、フットボード２３および全ての柵体１３それぞれに設けられている。内側表示部２７は、各壁状部材２６の内面２６ａに設けられている。外側表示部２８は、各壁状部材２６の外面２６ｂに設けられている。内側表示部２７および外側表示部２８は、各壁状部材２６において、その壁状部材２６を間に挟んで対応するように設けられている。内側表示部２７および外側表示部２８は、壁状部材２６の正面視において中央部に配置されている。図３に示すように、内側表示部２７および外側表示部２８は、互いに異なる情報を表示する。
【００３９】
図２に示すように、前記寝台装置１０は、測定部２９と、操作部３０と、検出部３１と、撮像部３２と、制御部３３と、を更に備えている。
測定部２９は、寝台１４上の使用者の生体情報を測定する。測定部２９は、例えば使用者の心拍数や血圧などを測定する。測定部２９としては、公知の医療機器を適宜採用することが可能である。
【００４０】
操作部３０は、外部からの操作情報の入力を受け付ける。操作部３０は、例えば寝台１４上の使用者や、寝台装置１０外の介助者などにより操作される。操作部３０としては、例えば、いわゆる環境制御装置などを採用することができる。操作部３０として、例えば、内側表示部２７や外側表示部２８と一体に設けられたタッチパネルを採用することもできる。操作部３０として、例えば、音声や人の動き（ジェスチャー）に基づいた操作情報の入力を受け付ける構成を採用することも可能である。操作部３０として、例えば、表示のＯＮ・ＯＦＦを切り替えるスイッチを各壁状部材２６に設けることも可能である。
【００４１】
検出部３１は、寝台１４上の使用者の状態を検出する。検出部３１は、第１検出部３４と、第２検出部３５と、を備えている。
第１検出部３４は、寝台１４上の使用者が睡眠状態であるか否かを検出する。第１検出部３４としては、公知の睡眠状態判定装置を適宜採用することが可能である。
【００４２】
第２検出部３５は、寝台１４上の使用者の寝姿勢、および使用者の向きを検出する。第２検出部３５は、寝台１４上の使用者の寝姿勢や向きを検出する公知の構成を適宜採用することが可能である。
第２検出部３５としては、例えば、寝台１４を左右方向に横断する荷重センサを備える構成を採用することができる。この場合、第２検出部３５は、荷重センサが検出する荷重の大きさの分布に基づいて、寝台１４上の使用者の左右方向の位置を検出することが可能である。
【００４３】
第２検出部３５は、使用者の左右方向の位置に応じて、使用者の寝姿勢を推定することができる。すなわち、例えば、使用者が左右方向の中央部に位置するときには仰臥位と推定し、使用者が左右方向の端部に位置するときには側臥位と推定することができる。
第２検出部３５は、使用者の左右方向の位置に応じて、使用者の向きを推定することもできる。すなわち、例えば、使用者が左右方向の左側の端部に位置するときには、使用者が側臥位であって左側を向いていると推定し、使用者が左右方向の右側の端部に位置するときには、使用者が側臥位であって右側を向いていると推定することができる。
【００４４】
撮像部３２は、寝台外空間Ｓｏを撮像する。撮像部３２は、寝台外空間Ｓｏのうち、内側表示部２７を間に挟んだ寝台１４の反対側に位置する部分を撮像する。撮像部３２としては、空間中の特定の範囲を撮像する一般的なカメラや、空間の全範囲を撮像可能な全方位カメラ等を採用することができる。
【００４５】
なお本実施形態では、図１および図３に示すように、撮像部３２は、ヘッドボード２２（ボード１２）に設けられているが、撮像部３２の設置位置は適宜変更することが可能である。例えば、撮像部３２をフットボード２３（ボード１２）に設けることもできる。また、撮像部３２を、柵体１３や寝台装置本体１１（支持架台１５）に設けてもよい。さらに、撮像部３２を、寝台装置本体１１やボード１２、柵体１３から独立した位置に設けることもできる。例えば、撮像部３２を、部屋の壁や天井などに設けてもよい。
【００４６】
制御部３３は、測定部２９の測定結果、操作部３０への入力情報、検出部３１の検出結果および撮像部３２の撮像結果を取得する。制御部３３は、内側表示部２７および外側表示部２８への情報の表示を制御する。制御部３３は、内側表示部２７と外側表示部２８とに互いに異なる情報を表示可能であるとともに、内側表示部２７と外側表示部２８とに互いに同一の情報を表示可能でもある。
【００４７】
本実施形態では、図３に示すように、内側表示部２７が、撮像部３２の撮像結果に基づいて寝台外空間Ｓｏを表示し、外側表示部２８が、測定部２９の測定結果に基づいて使用者の生体情報を表示することができる。内側表示部２７は、寝台外空間Ｓｏの他、写真などの静止画（静止画のスライドショーを含む）やテレビ放送などの動画を表示することもできる。内側表示部２７は、静止画や動画として遠隔地やリゾート地など、寝台１４上の使用者が所望する場所の映像を表示することもできる。内側表示部２７は、使用者に対するメールや、使用者の嗜好に沿うニュースなどを表示することもできる。
【００４８】
なお、例えば内側表示部２７における情報の表示などに併せて、音の提供が望まれる場合、イヤホン（イヤホンジャック）やスピーカー等の音響設備を寝台装置１０に設けることも可能である。この場合、前記音響設備を、寝台装置本体１１（支持架台１５）やボード１２、柵体１３に設けてもよい。さらに、前記音響設備を、部屋の壁や天井などに設けてもよい。なお、前記音響設備としてスピーカーを採用する場合、指向性を具備するスピーカーを採用することで、例えばスピーカーを天井に配置しても、スピーカーからの音を使用者に限定して提供し易くすることができる。
【００４９】
制御部３３は、検出部３１の検出結果に基づいて内側表示部２７を制御する。制御部３３は、第１検出部３４の検出結果に基づいて内側表示部２７の表示の実施および停止を切り替える。すなわち、使用者が睡眠状態であることが第１検出部３４により検出された場合、制御部３３が内側表示部２７の表示を停止する。使用者が睡眠状態でないこと（使用者が覚醒状態であること）が第１検出部３４により検出された場合、制御部３３が内側表示部２７の表示を実施する。
【００５０】
制御部３３は、第２検出部３５の検出結果に基づいて、複数の内側表示部２７のうち表示を実施する内側表示部２７と、表示を停止する内側表示部２７とを切り替える。すなわち、使用者が寝台１４上で左側を向いていることが第２検出部３５により検出された場合、制御部３３は、使用者の左側に位置する内側表示部２７の表示を実施する一方、使用者の右側に位置する内側表示部２７の表示を停止する。このとき、制御部３３が内側表示部２７に静止画や動画などの映像を表示させている場合、内側表示部２７に表示される映像の上下方向を、側臥位の使用者を基準とした上下方向に対応させることもできる。
【００５１】
以上説明したように、本実施形態に係る寝台装置１０によれば、寝台装置１０が、寝台１４上から視認可能な内側表示部２７を備えている。したがって、使用者が寝台１４上で横臥したまま、内側表示部２７に表示される情報を視認することが可能になり、使用者の利便性を高めることができる。
内側表示部２７が、柵体１３に設けられているので、例えば、使用者が寝台１４上で側臥位になった状態で、内側表示部２７の情報を容易に視認すること等ができる。
【００５２】
内側表示部２７が、撮像部３２の撮像結果に基づいて寝台外空間Ｓｏを表示する。したがって、内側表示部２７に、寝台外空間Ｓｏのうち、内側表示部２７を間に挟んだ寝台１４の反対側に位置する部分を表示させることができる。これにより、内側表示部２７が疑似的に透過しているような感覚を使用者に生じさせることができる。その結果、使用者に開放感を生じさせ、使用者の利便性をより高めることができる。
【００５３】
内側表示部２７および外側表示部２８が、互いに異なる情報を表示する。したがって、例えば、寝台１４上の使用者が、自らの嗜好にあわせた情報（例えば、写真などの静止画やテレビ放送などの動画）を内側表示部２７で視認しつつ、寝台装置１０外の介護者や医療従事者が、使用者の生体情報を外側表示部２８で視認することができる。これにより、介護者や医療従事者の利便性も高めることができる。
【００５４】
制御部３３が、検出部３１の検出結果に基づいて内側表示部２７を制御する制御部３３を備えている。したがって、使用者の状態に応じて内側表示部２７の表示を自動的に調整することが可能になり、使用者の利便性をさらに高めることができる。
制御部３３が、第１検出部３４の検出結果に基づいて内側表示部２７の表示の実施および停止を切り替える。したがって、使用者が睡眠状態であるときに内側表示部２７の表示を自動的に停止することが可能になり、使用者の利便性をより高めることができる。
【００５５】
なお、本発明の技術的範囲は前記実施形態に限定されるものではなく、本発明の趣旨を逸脱しない範囲において種々の変更を加えることが可能である。
【００５６】
ボード１２や柵体１３が、寝台装置本体１１に対して移動自在に連結されていなくてもよい。ボード１２や柵体１３が、寝台１４の上方に位置した状態で実質的に移動不能に固定されていてもよい。ボード１２や柵体１３が、寝台装置本体１１に対して分離自在に連結されていてもよい。
ボード１２や柵体１３などの壁状部材２６は、例えば、パイプ部材を組み合わせてなる格子により形成することも可能である。なおこの場合、内側表示部２７を、パイプ部材に沿って長尺に形成することもできる。
【００５７】
測定部２９や操作部３０、検出部３１がなくてもよい。例えば制御部３３が、現在時刻や表示時間などに応じて、内側表示部２７の表示内容を変化させたり、表示、非表示を切り替えたりしてもよい。撮像部３２がなくてもよい。
内側表示部２７および外側表示部２８に共通の情報を表示させてもよい。外側表示部２８がなくてもよい。
【００５８】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５９】
１０   寝台装置
１４   寝台
２６   壁状部材
２７   内側表示部
２８   外側表示部
３１   検出部
３２   撮像部
３３   制御部
３４   第１検出部
【図１】
2020124528.tif 000003
【図２】
2020124528.tif 000004
【図３】
2020124528.tif 000005